(57)【特許請求の範囲】
【請求項１】
基地局と移動ユニットの間に介在する中継器の総数を検出する方法であって、
無線通信リンク上の前記基地局と前記移動ユニットの間で信号が伝送される距離の第１の推定値を決定すること、
前記無線通信リンク上の前記基地局と前記移動ユニットの間で前記信号が伝送される距離の第２の推定値を決定すること、
前記第１と第２の推定値を比較すること、および
前記第１と第２の推定値の比較に基づいて、前記信号を処理した中継器の総数を判定することを含む方法。
【請求項２】
前記第１の推定値の決定が、前記信号に関連した往復時間、前記信号が前記基地局から前記移動ユニットまで伝送される時間、および前記信号が前記移動ユニットから前記基地局まで伝送される時間のうちの少なくとも１つを決定することを含む、請求項１に記載の方法。
【請求項３】
前記第１の推定値の決定が、前記信号に関連した前記往復時間、前記信号が前記基地局から前記移動ユニットまで伝送される時間、および前記信号が前記移動ユニットから前記基地局まで伝送される時間のうちの少なくとも１つに基づいて前記第１の推定値を決定することを含む、請求項２に記載の方法。
【請求項４】
前記第２の推定値の決定が、送信された電力を示す量および受信された電力を示す量を受信することを含む、請求項１に記載の方法。
【請求項５】
前記送信された電力を示す量の受信が、前記基地局によって送信された電力および前記移動ユニットによって送信された電力のうちの少なくとも１つを示す量を受信することを含む、請求項４に記載の方法。
【請求項６】
前記受信された電力を示す量の受信が、前記基地局によって受信された電力および前記移動ユニットによって受信された電力のうちの少なくとも１つを示す量を受信することを含む、請求項４に記載の方法。
【請求項７】
前記第２の推定値の決定が、前記送信された電力、前記受信された電力、およびチャネル・モデルに基づいて前記第２の推定値を決定することを含む、請求項４に記載の方法。
【請求項８】
前記第１と第２の推定値を比較することが、前記第１と第２の推定値の差が第１の所定の差よりも大きいかどうかを判定することを含む、請求項１に記載の方法。
【請求項９】
前記信号が少なくとも１つの中継器によって処理されたかどうかを判定することが、第１と第２の推定値が前記第１の所定の差よりも大きい場合に、前記信号が少なくとも１つの中継器によって処理されたと判定することを含む、請求項８に記載の方法。
【請求項１０】
前記無線通信リンク上の前記基地局と前記移動ユニットの間で前記信号が伝送される前記距離を決定することを含む、請求項１に記載の方法。
【発明の詳細な説明】
【技術分野】
【０００１】
本発明は一般に、電気通信に関し、より詳細には無線電気通信システムに関する。
【背景技術】
【０００２】
セルラー電話システムなど無線電気通信システムには、通常、複数の移動ユニットとの並行の通信リンクを確立する１つまたは複数の基地局が含まれる。無線通信リンクの範囲は、基地局および移動ユニットの伝送電力、基地局および移動ユニットの受信器の感度、基地局と移動ユニットの間にある障害物などによって制限される。たとえば無線通信リンクが自由空間で確立された場合、移動ユニットで受信される電力は、基地局から移動ユニットまでの距離の二乗で割り算した基地局による伝送電力にほぼ比例する。他の例では、山の多い地域に位置する基地局の範囲は、物理的障害物がほとんどない地域に配置された同じ基地局の範囲よりも実質的に小さいことがある。建造物や山などの障害物は、送信電力と受信電力の間の関係に方向依存性をもたらすこともある。
【０００３】
受信電力が一定レベル未満に低下すると、移動ユニットおよび基地局は、無線通信リンクを形成または維持することができなくなる。したがって、山の多い地域や都会のビルの谷間など多数の障害物のある地域を移動するユーザに完全な通達範囲および連続したサービスを提供するには、比較的多数の基地局が必要とされる。基地局に関連した無線アクセス・ネットワーク（ＲＡＮ）は、移動ユニットからの信号を送信かつ受信する他に、移動する移動ユニットと他の基地局とのハンドオフの調整、基地局と関連した稼動中の移動ユニットのリストの維持、移動ユニットの位置の決定など、他の機能も実行することができる。こうした機能には通常、追加のハードウェアおよび／またはソフトウェアが必要であり、基地局の配置、維持、およびの操作のコストが高くなる。したがって、障害物の多い地域で完全な通達範囲を確保するために必要とされる多数の基地局を提供するコストは桁外れに高くなるであろう。特に、人口密度が低い山の多い地域に多数の基地局を提供することはコスト効率が良くない。
【０００４】
この問題に対処する従来の一解決法は、１つまたは複数の基地局に関連した１つまたは複数の中継器を使用することである。中継器は、基地局によって伝送された信号を受信し、その信号の電力を増幅し、増幅した基地局の信号を、増幅していない基地局信号の範囲を超える地域にある１つまたは複数の移動ユニットに伝送する。中継器は、移動ユニットによって送信された信号を受信し、移動ユニットの信号の電力を増幅し、増幅した移動ユニットの信号を基地局に送信することもできる。ただし、通常、中継器は基地局の他の機能の多くは実行しない。したがって、中継器を使用して、追加の基地局を設置するよりもはるかに低コストで基地局の通達範囲領域を拡張することができる。この中継器によって提供される追加の通達範囲は、中継器セルと呼ばれることが多い。
【０００５】
中継器は、信号に時間遅延も発生させる。たとえば、中継器内の受信アンテナと送信アンテナが非常に近接しているため、中継器はしばしば、受信信号からの信号を中継器が送信することを除去かつ／または無効にして、フィードバックによる干渉を回避または低減しなければならない。送信信号の無効化は、ディジタル信号処理を使用して行う。それによって受信信号と中継器によって送信される信号の間に時間遅延が発生する。
【０００６】
従来の基地局に関連した従来の無線アクセス・ネットワークは通常、受信信号が中継器を通過したかどうかを判断することができない。中継器によって行われるディジタル信号処理は、無線通信システムには透明である。したがって、無線アクセス・ネットワークは、伝播に関連した時間遅延と信号処理によって発生した時間遅延を区別することができない。また、中継器によるディジタル信号処理に関連した時間遅延が無線アクセス・ネットワークによって検出されても、無線アクセス・ネットワークは、遅延信号を最強のパスが基地局から移動ユニットまでの直接パスではないマルチパス受信として解釈する。従来の無線アクセス・ネットワークは、中継器によって生じた信号の増幅も検出することができない。
【０００７】
したがって、中継器によって発生する時間遅延および／または信号の増幅によって、従来の無線アクセス・ネットワークによって提供される位置決めサービスの正確さが低減される恐れがある。たとえば、無線アクセス・ネットワークは、信号の往復時間遅延を使用して移動ユニットまでの距離を推定することができる。しかし、従来の無線アクセス・ネットワークは、中継器によって発生した追加の時間遅延を補償することができないため、中継器が信号を処理した場合は、移動ユニットまでの距離を過大評価してしまう。他の例では、無線アクセス・ネットワークは、送信電力と受信電力を比較し、無線通信リンクに適したチャネル・モデルを適用することによって、移動ユニットまでの距離の測定を試みることができる。しかし、チャネル・モデリング技法を適用する従来の無線アクセス・ネットワークは、従来の無線アクセス・ネットワークが中継器によって発生した電力の増幅を補償することができないため、移動ユニットまでの距離を過小評価してしまう。
【発明の開示】
【発明が解決しようとする課題】
【０００８】
本発明は、上述の１つまたは複数の問題の影響に対処することを目的とする。
【課題を解決するための手段】
【０００９】
本発明の一実施形態では、基地局と移動ユニットの間で少なくとも１つの中継機を検出する方法を提供する。この方法は、基地局と移動ユニットの間の無線通信リンク上で信号が移動した距離の第１の推定値を決定し、基地局と移動ユニットの間の無線通リンク上で信号が移動した距離の第２の推定値を決定し、第１と第２の推定値を比較することを含む。この方法は、第１と第２の推定値の比較に基づいて、信号が少なくとも１つの中継器によって処理されたかどうかを判定することも含む。本発明の他の実施形態では、この方法を実装するための装置を提供する。
【００１０】
本発明は、添付の図面と併せて、以下の説明を参照すれば理解されるであろう。図面では、同様の参照番号は、同様の要素を示す。
【００１１】
本発明には、様々な修正および変更形態が可能であるが、本発明の特定の実施形態を、図面に一例として示し、本明細書に詳細に記載する。しかし理解されるように、本明細書における特定の実施形態の記載は、本発明を開示の特定の形態に限定するものではなく、その反対に、本発明は、別添の特許請求の範囲に記された本発明の精神および範囲内にある修正形態、等価のもの、および変形形態全てを包含するものである。
【発明を実施するための最良の形態】
【００１２】
本発明の例示の実施形態を以下で説明する。明瞭にするために、実際の実施形態の特徴全てはこの明細書に記載しない。当然理解されるように、任意のこうした実際の実施形態を開発する際は、開発者の特定の目的を達成するには、システム関連およびビジネス関連の制約などに従って、多数の実装固有の決定を行わなければならず、それは実施形態によって変わるものである。さらに、理解されるように、こうした開発努力は複雑で時間を要することもあるが、それでもなお本開示の恩典を有する当業者には日常的業務であろう。
【００１３】
図１は、無線電気通信システム１００の第１の例示の実施形態を概念的に示す。図で示した実施形態では、無線電気通信システム１００は、Ｃｏｄｅ  Ｄｉｖｉｓｉｏｎ  Ｍｕｌｔｉｐｌｅ  Ａｃｃｅｓｓ（ＣＤＭＡ）プロトコルを使用するＵｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）であることが想定されている。しかし、当業者には理解されるように、本発明は、ＣＤＭＡプロトコルに従って動作するＵＭＴＳシステムに限定されるものではない。代替実施形態では、任意の望ましいプロトコルに従って動作する任意の望ましいタイプの電気通信システムを使用することができる。たとえば、無線電気通信システム１００は、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ）、Ｐｅｒｓｏｎａｌ  Ｃｏｍｍｕｎｉｃａｔｉｏｎｓ  Ｓｅｒｖｉｃｅ（ＰＣＳ）、ＣＤＭＡ−２０００、ＩＳ−９５、Ｔｉｍｅ  Ｄｉｖｉｓｉｏｎ  Ｍｕｌｔｉｐｌｅ  Ａｃｃｅｓｓ（ＴＤＭＡ）、Ｗｉｒｅｌｅｓｓ  Ｆｉｄｅｌｉｔｙ（ＷｉＦｉ）、または他の８０２．１１プロトコル、Ｂｌｕｅｔｏｏｔｈなどに従って動作可能である。他の例では、無線電気通信システム１００は、赤外線、レーザ、またはマイクロ波リンク、並びにＵｌｔｒａ−ｗｉｄｅｂａｎｄ  ＣＤＭＡを使用することができる。
【００１４】
無線電気通信システム１００には、１つまたは複数の移動ユニット１２０（図１では１つだけが示されている）との１つまたは複数の並行無線通信リンクを確立するための少なくとも１つの基地局１０５が含まれる。図で示した実施形態では、無線通信リンクには、親セル１１０内に１つまたは複数の無線周波数リンク・セグメント１０７（図１では１つだけが示されている）が含まれる。図で示した実施形態では、親セル１１０のパイ形にスライスした形状で示したように、基地局１０５は、指向性送信かつ／または受信を使用して、親セル１１０の無線周波数リンク・セグメント１０７を形成する。しかし、本発明は指向性基地局１０５に限定されない。代替実施形態では、基地局１０５は、信号を任意の望ましい方向または方向の範囲で送信かつ／または受信することができる。たとえば、基地局１０５は、信号を実質的に等方的に送信かつ／または受信することができる。さらに、当業者には理解されるように、親セル１１０の正確な形も、山、建造物、気候など環境の特性に依存する。
【００１５】
中継器１１５は、親セル１１０内に配置される。本明細書に記載する中継器１１５は従来の中継器１１５であるが、本発明は従来の中継器１１５に限定されない。たとえば、一代替実施形態では、中継器１１５は第２の基地局でもよい。図１には中継器１１５が１つだけしか示されていないが、本発明は親セル１１０内の単一の中継器１１５に限定されない。代替実施形態では、任意の望ましい数の中継器１１５を親セル１１０内に配置することができる。さらに、１つまたは複数のユニット（図示せず）を親セル１１０内に配置し、基地局１０５との並行無線通信リンクを確立することができる。
【００１６】
中継器１１５は、基地局１０５から中継器セル１２５内に配置された１つまたは複数の移動ユニット１２０までの無線通信リンク（たとえばダウンリンク）の一部として動作する場合、１つまたは複数の移動ユニット１２０との１つまたは複数の無線周波数リンク・セグメント１３０（図１では１つだけが示されている）を形成する。中継器１１５は、無線周波数リンク・セグメント１０７上で（たとえばダウンリンク・チャネル上で）基地局１０５から１つまたは複数の信号を受信し、その１つまたは複数の信号を無線周波数リンク・セグメント１３０上で中継器セル１２５内に位置する移動ユニット１２０に提供する。一実施形態では、中継器１１５は、基地局１０５から受信した信号を増幅してから、その増幅した信号を移動ユニット１２０に提供する。中継器１１５は、基地局１０５から受信した信号にディジタルかつ／またはアナログ信号処理を行ってから、その信号を移動ユニット１２０に提供することもできる。たとえば上記で論じたように、中継器はディジタル信号プロセッサ（図示せず）を使用して、１つまたは複数の受信かつ／または増幅信号を処理し、フィードバックによる干渉を回避または低減することができる。上記で論じたように、中継器１１５による処理により、基地局１０５からの信号の受信とその後の移動ユニット１２０への信号の送信の間に時間遅延が発生することがある。
【００１７】
中継器１１５は、１つまたは複数の移動ユニット１２０から基地局１０５への無線通信リンク（たとえばアップリンク）の一部として動作する場合、無線周波数リンク・セグメント１３０上で（たとえばアップリンク・チャネル上で）移動ユニット１２０から１つまたは複数の信号を受信し、その１つまたは複数の信号を無線周波数リンク・セグメント１０７上で基地局１０５に提供する。一実施形態では、中継器１１５は、移動ユニット１２０から受信した信号を増幅してから、その増幅した信号を基地局１０５に提供する。中継器１１５は、移動ユニット１２０から受信した信号にディジタルかつ／またはアナログ信号処理を行ってから、その信号を基地局１０５に提供することもできる。上記で論じたように、中継器１１５による処理により、移動ユニット１２０からの信号の受信とその後の基地局１０５への信号の送信の間に時間遅延が発生することがある。
【００１８】
処理装置１３５は基地局１０５に結合される。図１で示した実施形態では、処理装置１３５は別個のブロックとして示してある。処理装置１３５はたとえば、無線アクセス・ネットワーク（ＲＡＮ）の一部でもよい。しかし、本発明は、無線アクセス・ネットワークで実装される処理装置１３５に限定されない。代替実施形態では、処理装置１３５の一部を基地局１０５、中継器１１５、かつ／または移動ユニット１２０に組み込むことができる。処理装置１３５は、以下に記載する幾つかの動作を実装するコンピューティング・デバイスによって実行されるソフトウェアを含むことができる。当業者には理解されるように、処理装置１３５は、当業者には周知の任意の適したオペレーティング・システムで動作する当業者には周知の任意のプロセッサでもよい。
【００１９】
１つまたは複数の信号伝播時間は、処理装置１３５を使用して測定される。一実施形態では、処理装置１３５は、信号を提供して基地局１０５を始動させ、基地局１０５から移動ユニット１２０までの往復時間を測定させる。当業者には理解されるように、本発明は、無線周波数リンク・セグメント１０７、１３０を介して基地局１０５から移動ユニット１２０まで伝送される信号の往復時間の測定に限定されない。代替実施形態では、処理装置１３５は、信号が基地局１０５から移動ユニット１２０まで伝送される時間、信号が移動ユニット１２０から基地局１０５まで伝送される時間、信号が移動ユニット１２０から基地局１０５まで伝送される往復時間などを測定するために使用される信号を提供することができる。
【００２０】
処理装置１３５は、測定された時間を使用して、基地局１０５と移動ユニット１２０の間の距離１４０を推定する。たとえば、中継器１１５が無線通信リンク上で基地局１０５と移動ユニット１２０の間に存在しない場合、処理装置１３５は、測定された往復時間から移動ユニットによる処理に関連した周知の遅延を差し引き、補正した往復時間に光速を乗算して基地局１０５と移動ユニット１２０の間の距離の往復時間を推定し、次いで２で割って距離１４０を推定する。しかし上記で論じたように、中継器１１５は、中継器１１５によって受信される信号と中継器１１５によって送信される信号の間に時間遅延を発生させる。測定された往復時間は、中継器１１５によって発生する時間遅延を含むものである。したがって、中継器１１５が、信号を基地局１０５から移動ユニット１２０に、かつ／または移動ユニット１２０から基地局１０５に中継する場合、中継器１１５によって発生する時間遅延を補正しなければ、通常、推定距離１４０は基地局１０５から移動ユニット１２０までの実際の距離１４５よりも長くなる。
【００２１】
１つまたは複数の受信または送信電力も処理装置１３５を使用して測定される。一実施形態では、処理装置１３５は、信号を提供して基地局１０５を始動させ、基地局１０５によって送信された電力および移動ユニット１２０によって受信された電力を測定させる。しかし当業者には理解されるように、本発明は、基地局１０５によって送信された電力および移動ユニット１２０によって受信された電力の測定に限定されない。代替実施形態では、基地局１０５は、基地局１０５によって送信された電力および移動ユニット１２０によって受信された電力、移動ユニット１２０によって送信された電力および基地局１０５によって受信された電力、移動ユニット１２０によって送信された電力および移動ユニット１２０によって受信された電力などを測定することができる。
【００２２】
処理装置１３５は、基地局１０５への測定された送信および受信電力を使用して、基地局１０５から移動ユニット１２０までの距離１５０を推定する。一実施形態では、処理装置１３５は、無線周波数リンク・セグメント１０７、１３０に関連したチャネル・モデルを使用して、送信された電力と受信された電力を比較し、パス減衰および／またはパス損失を計上する。しかし上記で論じたように、信号が中継器１１５を通過し、中継器１１５がその信号を増幅した場合、受信信号は予想よりも強化される。したがって、チャネル・モデルを送信および受信電力に適用することによって、処理装置１３５が基地局１０５から移動ユニット１２０までの距離を過小評価する、すなわち推定された距離１５０が実際の距離１４５よりも短くなる。
【００２３】
処理装置１３５は、推定距離１４０と推定距離１５０を比較することによって、無線通信リンク上で基地局１０５と移動ユニット１２０の間に中継器１１５が存在するかしないかを検出する。中継器１１５が時間遅延を発生させ信号を増幅する一実施形態では、推定距離１４０は実際の距離１４５よりも長く、推定距離１５０は実際の距離１４５よりも短い。したがって、処理装置１３５は、推定距離１４０と推定距離１５０の差が所定の差よりも大きい場合は中継器１１５が存在すると判定する。当業者には理解されるように、所定の差は、設計選択の問題であり、チャネル・モデルの品質、環境状態などの要因に依存する。
【００２４】
図１で示した中継器１１５は時間遅延を発生させ信号を増幅しているが、本発明の実施にはそうすることが必ずしも必要ではない。一代替実施形態では、中継器１１５は時間遅延を発生させるが信号を大幅に増幅しない。この実施形態では、推定距離１４０は実際の距離１４５よりも長く、推定距離１５０は実際の距離１４５とほぼ等しい。他の実施形態では、中継器１１５は信号を増幅するが大幅な時間遅延を発生させない。この実施形態では、推定距離１４０は実際の距離１４５とほぼ等しいが、推定距離１５０は実際の距離１４５よりも短い。この両方の代替実施形態でも、処理装置１３５は、推定距離１４０と推定距離１５０の差が所定の差よりも大きい場合は、中継器１１５が存在すると判定することができる。
【００２５】
一実施形態では、処理装置１３５は、推定距離１４０、１５０に基づいて実際の距離１４５を決定することができる。たとえば、推定距離１４０と１５０の差が所定の差よりも大きい場合、また処理装置１３５が中継器１１５の存在を検出した場合、処理装置１３５は、中継器１１５の周知の時間遅延および／または増幅特性を使用して推定距離１４０、１５０を再計算する。再計算した距離１４０と１５０の差が所定の差よりも小さい場合、処理装置１３５は、実際の距離１４５が、推定距離１４０、１５０のうちの１つ、または推定距離１４０と１５０の平均などの組み合わせとほぼ等しいと判定する。再計算した距離１４０と１５０の差が所定の差よりも大きい場合、処理装置１３５はエラー状態が存在することを決定することができる。あるいは下記で論じるように、処理装置１３５は、１つ以上の中継器１１５が存在することを決定することができる。
【００２６】
一実施形態では、中継器１１５によって発生する時間遅延および／または増幅要因が事前決定され、処理装置１３５に提供される。しかし、本発明は事前決定された時間遅延および／または増幅要因に限定されない。代替実施形態では、グローバル・ナビゲーション・サテライト・システム（ＧＮＳＳ）など位置決めシステムを使用して、移動ユニット１２０の位置を決定することができる。たとえば、グローバル・ポジショニング・システム（ＧＰＳ）を使用して移動ユニット１２０の位置を決定することができる。処理装置１３５は、次いで、移動ユニット１２０の決定された位置を使用して、中継器１１５によって発生する時間遅延かつ／または増幅要因を決定することができる。
【００２７】
図２は、無線通信システム２００の第２の例示の実施形態を概念的に示す。図で示した実施形態では、基地局２０５は１つまたは複数の移動ユニット２０６（１〜３）との１つまたは複数の並行無線通信リンクを確立している。図で示した実施形態では、並行無線通信リンクには、基地局２０５から親セル２２０内に配置された中継器２１０（１〜２）までの無線周波数リンク・セグメント２０７（１〜２）が含まれる。並行無線通信リンクには、中継器２１０（１〜２）と中継器２２５（１〜２）かつ／またはセル２３０（１〜２）内の移動ユニット２０６（２）との間の１つまたは複数の無線周波数リンク・セグメント２２２（１〜２）、２２３も含まれる。基地局２０５と移動ユニット２０６（１）並びに２０６（３）との間の並行無線通信リンクには、中継器２２５（１〜２）と移動ユニット２０６（１）並びに２０６（３）の間の無線周波数リンク・セグメント２３２（１〜２）も含まれる。当業者には理解されるように、追加の中継器および関連したセルを使用して、無線通信システム２００を所望通りに拡張することができる。
【００２８】
処理装置２４０は、上述の時間遅延およびチャネル・モデリング技法を使用して推定した距離を比較することによって、無線通信リンクの基地局２０５と移動ユニット２０６（１〜３）の間に中継器２１０（１〜２）、２２５（１〜２）が存在するかしないかを検出する。たとえば、処理装置２４０は、上述の時間遅延およびチャネル・モデリング技法を使用して推定した距離の差が第１の所定の差よりも大きい場合は、無線通信リンクの基地局２０５と移動ユニット２０６（２）の間に中継器２１０（１）が存在することを検出することができる。他の例では、処理装置２４０は、上述の時間遅延およびチャネル・モデリング技法を使用して推定した距離の差が第２の所定の差よりも大きい場合は、無線通信リンクの基地局２０５と移動ユニット２０６（１）および／または２０６（３）の間に中継器２１０（１〜２）、２２５（１〜２）が存在することを検出することができる。図で示した実施形態では、第２の所定差は第１の所定差よりも大きい。上記で論じたように、処理装置２４０は、基地局２０５と移動ユニット２０６（１〜３）の間の実際の距離を決定することもできる。
【００２９】
当業者には理解されるように、本明細書の様々な実施形態で示した多様なシステム層、ルーチン、またはモジュールは、制御および／または処理装置で実装可能である。制御および／または処理装置には、マイクロプロセッサ、マイクロコントローラ、ディジタル信号プロセッサ、（１つまたは複数のマイクロプロセッサあるいは制御装置を含む）プロセッサカード、または他の制御、コンピューティングもしくは処理デバイス、並びに１つまたは複数の記憶装置に含まれた実行可能な命令が含まれる。記憶装置には、データおよび命令を記憶するための１つまたは複数の機械可読記憶媒体が含まれる。記憶媒体には、ダイナミックまたはスタティック・ランダム・アクセス・メモリ（ＤＲＡＭまたはＳＲＡＭ）、消去書込み可能かつプログラム可能な読出し専用メモリ（ＥＰＲＯＭ）、電気的消去書込み可能かつプログラム可能な読出し専用メモリ（ＥＥＰＲＯＭ）並びにフラッシュメモリ、固定、フロッピー（登録商標）、リムーバブル・ディスクなど磁気ディスク、テープを含む他の磁気媒体、およびコンパクト・ディスク（ＣＤ）またはディジタル・ビデオ・ディスク（ＤＶＤ）など光媒体などの半導体メモリ・デバイスを含む多様な形態のメモリが含まれる。多様なシステムの多様なソフトウェア層、ルーチン、またはモジュールを作成する命令は、それぞれ記憶装置に記憶することができる。命令がそれぞれ制御ユニットによって実行されると、命令により、対応するシステムがプログラミングされた動作を行うようになる。
【００３０】
上記に開示した特定の実施形態は単に例示のものであり、本発明は、本明細書の教示の恩典を有する当業者には明らかな、相違しても等価な方法で修正または実装することができる。さらに、別添の特許請求の範囲で記載したもの以外は、本明細書で示した構成または設計の詳細は制限を受けないものとする。したがって、上記で開示した特定の実施形態には、変更または修正を加えることができることは明らかであり、こうした変形形態は全て本発明の精神および範囲内にあるものと考えられる。したがって、本明細書で求める保護は頭記の特許請求の範囲で述べたものである。
【図面の簡単な説明】
【００３１】
【図１】本発明による無線電気通信システムの第１の例示の実施形態を概念的に示す図である。
【図２】本発明による無線電気通信システムの第２の例示の実施形態を概念的に示す図である。
【図１】
0004749767.tif 000002
【図２】
0004749767.tif 000003